(57)【要約】【課題】集熱器の高い集熱効率を維持しながら高温の熱媒体を得ることを目的とする。【解決手段】太陽光を受けて内部を流通する熱媒体７を加熱する複数個の集熱部１と、この集熱部１を焦点とする放物面反射鏡３ａ，複合放物面反射鏡３ｂと、受熱板１１を設けて構成した平板状集熱部４と、これらを収納する外装５とを備え、集熱部１に太陽光を取り込むための太陽光入射許容角度を変化させたものである。これよって、集熱器６では、１日の太陽の動きに合わせて集光時間を長くとり多量の熱を収集するようにして熱媒体７の熱回収を促進する部分と、太陽光を集熱部１に集光し、この集熱部１の温度を高温化して熱媒体を高温に維持する部分を構成するものである。【選択図】図１
2008215740.tif 000002
【特許請求の範囲】
【請求項１】
太陽光を受けて内部を流通する熱媒体を加熱する複数の集熱部と、一部集熱部を焦点とする複数の反射鏡と、他の一部集熱部に受熱板を設けて構成した平板状集熱部と、前記一部集熱部、反射鏡、および平板状集熱部を収納する外装とを具備し、前記反射鏡と平板状集熱部は、集熱部に太陽光を取り込むための太陽光入射許容角度が可変となるように構成した集熱器。
【請求項２】
反射鏡は、熱媒体の入口側から出口側へ太陽光入射許容角度を縮小するように構成した請求項１記載の集熱器。
【請求項３】
反射鏡は、略東西方向に焦点の軌跡を形成するように配置した請求項１または２記載の集熱器。
【請求項４】
複数の集熱部は、順次連通させ一体化した請求項１〜３いずれか１項記載の集熱器。
【請求項５】
熱媒体の出口側の反射鏡は、放物面反射鏡で構成した請求項１記載の集熱器。
【請求項６】
平板状集熱部は熱媒体の入口側に配置した請求項１記載の集熱器。
【請求項７】
中間に位置する反射鏡を複合放物面反射鏡で構成した請求項１記載の集熱器。
【発明の詳細な説明】
【技術分野】
【０００１】
本発明は、太陽光を集光して、太陽熱を回収する集熱器に関するものである。
【背景技術】
【０００２】
従来、この種の集熱器は、２次元トラフ（樋）型の複合放物面（ＣＰＣ）型の反射鏡を用いることにより、平板型よりも集光比を大きくすることが可能で、また集光比の大きさにより、太陽光を反射鏡内に取り込むための許容角度を拡大できるので、集熱器の設置角度を固定しても年間を通して太陽光の集光が可能となる。
【０００３】
これにより、平板型集熱器よりも熱媒体の高温化を行うことができるようにしている（例えば特許文献１参照）。
【特許文献１】特開２００３−３１４９０２号公報
【発明の開示】
【発明が解決しようとする課題】
【０００４】
しかしながら、前記従来技術では、複合放物面（ＣＰＣ）型の反射鏡を略同一形状の複数個用いることにより、熱媒体の高温化を行うことができるが、平板型のように１日の中で長い時間太陽光を受けることができないので、熱媒体を高温にできる時間も短く、また熱量の回収を増加できないという点においても課題があった。
【０００５】
本発明は、上記従来の課題を解決するもので、集熱器の高い熱効率を維持しながら高温の熱媒体を得ることを目的とする。
【課題を解決するための手段】
【０００６】
前記従来の課題を解決するために、本発明の集熱器は、太陽光を受けて内部を流通する熱媒体を加熱する複数の集熱部と、一部集熱部を焦点とする複数の反射鏡と、他の一部集熱部に受熱板を設けて構成した平板状集熱部と、前記一部集熱部、反射鏡、および平板状集熱部を収納する外装とを具備し、前記反射鏡と平板状集熱部は、集熱部に太陽光を取り込むための太陽光入射許容角度が可変となるように構成したものである。
【０００７】
これよって、集熱器では、太陽光を反射鏡内に取り込むための太陽光入射許容角度を大きくした反射鏡や反射鏡の代わりに受熱板を設けて構成した平板状集熱部により、１日の太陽の動きに合わせて集光時間を長くとり多量の熱を収集するようにして熱媒体の熱回収を促進する部分と、太陽光を反射鏡内に取り込むための太陽光入射許容角度を小さくし集光比を拡大した反射鏡を設け、集熱部に集光し、集熱部の温度を高温化して熱媒体を高温に維持する部分を構成するものである。
【発明の効果】
【０００８】
本発明の集熱器は、高い熱効率を維持しながら高温の熱媒体を供給できるものである。
【発明を実施するための最良の形態】
【０００９】
第１の発明は、太陽光を受けて内部を流通する熱媒体を加熱する複数の集熱部と、一部集熱部を焦点とする複数の反射鏡と、他の一部集熱部に受熱板を設けて構成した平板状集熱部と、前記一部集熱部、反射鏡、および平板状集熱部を収納する外装とを具備し、前記反射鏡と平板状集熱部は、集熱部に太陽光を取り込むための太陽光入射許容角度が可変となるように構成したものである。
【００１０】
したがって、１日の太陽の動きに合わせて集光時間を長くとり、多量の熱を収集するようにして熱媒体の熱回収を促進する部分と、反射鏡の集光比を拡大して集熱部に集光し、集熱部の温度を高温化する部分を合わせて攻勢知るので、熱媒体を高い熱効率を維持しながら高温の熱媒体を供給できるものである。
【００１１】
第２の発明は、特に、第１の発明において、反射鏡は、熱媒体の入口側から出口側へ太陽光入射許容角度を縮小するように構成したことにより、集熱器の入口側で熱媒体の温度がまだ低い時は、熱量を多く確保し熱効率を高めるように作用し、集熱器の出口側で熱媒体の温度を適当に上昇させた後に、高温に加熱するので、高い熱効率を維持しながら高温の熱媒体を供給できるものである。
【００１２】
第３の発明は、特に、第１または第２の発明において、反射鏡は、略東西方向に焦点の軌跡を形成するように配置したことにより、複数個の反射鏡は、１日の太陽の方位方向の動きに合わせて日射を取り込むので、１日内に長い時間、集熱管を加熱することができる。
【００１３】
第４の発明は、特に、第１〜３のいずれか１つの発明において、複数の集熱部は、順次連通させ一体化したことにより、熱媒体を集熱管の加熱温度を徐々に変化させていくので、熱量と温度を確保しながら熱媒体を高温に保つことができる。
【００１４】
第５の発明は、特に、第１の発明において、熱媒体の出口側の反射鏡は、放物面反射鏡で構成したことにより、太陽光が最も集熱部に集光できるので、集熱器の出口側で、熱媒体の温度を最高に加熱し高温を維持することができる。
【００１５】
第６の発明は、特に、第１の発明において、平板状集熱部は熱媒体の入口側に配置したことにより、集熱器の入口側で熱媒体の温度がまだ低い時は、１日の太陽の動きに合わせて集光時間を長くとり多量の熱を収集するようにするので、熱量を多く確保し熱効率を高めることができる。
【００１６】
第７の発明は、特に、第１の発明において、中間に位置する反射鏡を複合放物面反射鏡で構成したことにより、太陽の動きにあわせて太陽光の入射を確保しながら、集熱部に対して反射鏡により太陽光を集光できるので、集熱器の入口側から出口側に向かって徐々に熱媒体の加熱温度を調節することができる。
【００１７】
以下本発明の実施の形態を図面を参照して説明する。なお、実施の形態によって本発明が限定されるものではない。
【００１８】
（実施の形態１）
図１、図２において、１は、太陽光を受けて内部を流通する熱媒体を加熱する複数の集熱部で、単管の集熱管２（銅管やステンレス管や黄銅管やアルミ管等）で構成されている。この集熱部１には、太陽光を集光するために複数の反射鏡３ａ，３ｂと平板状集熱部４を設けている。
【００１９】
これらの複数個の集熱部１や反射鏡３と平板状集熱部４を収納する外装５とで集熱器６を構成している。
【００２０】
集熱部１は、それぞれの集熱管２の端部を順次連結し、一経路に連通するように構成している。これにより、集熱管２内を流通する熱媒体７を徐々に加熱して急激な温度上昇による放熱損失を防止しながら集熱効率の低下を軽減し、太陽熱を回収するようにしている。
【００２１】
複数の集熱管２の表面には、選択吸収膜を形成している（図示なし）。選択吸収膜は、集熱管２の表面に黒色の黒クロムまたは無電解ニッケルのめっき処理を行うようにしている。また、めっきの替わりにマンガン系の黒色塗料を塗布することもある。
【００２２】
この集熱部１に対して熱媒体７の温度がまだ低い入口側８では、より多くの熱量を獲得できるように太陽光を取り込むための太陽光入射許容角度をできるだけ大きくするように構成し、また、熱媒体７の温度が上昇した出口側９では、太陽光を集光し集熱管２の温度をより上昇させるために、集熱部１に太陽光を取り込むための太陽光入射許容角度をできるだけ小さくするように構成している。
【００２３】
つまり、太陽光入射許容角度とは太陽の１年間や１日の動きの中で集熱部１に太陽光を受光及び集光可能な角度のことであり、この角度が大きいほど、太陽の１年間や１日のなかで長い時間太陽光を集熱部１が得られることになる。例えば、太陽光許容角度が最も大きいのが平板状集熱部４であり、最も小さいのが放物面反射鏡３ａである。
【００２４】
この放物面反射鏡３ａは集熱部１に太陽光を集光する作用に適しており、集光比を大きくとれ集熱部１を高温に加熱することが可能である。集光比とは、集熱部１に反射鏡内に入射した太陽光を虫眼鏡のごとく集中できた時の比率で、太陽の方位方向に向けて東西方向に伸ばして構成した樋型の反射鏡３ａの焦点１０（焦線）に沿って配置される２次元タイプのものであれば、幅（この場合、南北方向）を集熱部１の集熱管２の外径で除した値となる。
【００２５】
集熱器６は熱媒体７の加熱に対して、集熱効率の向上と集熱温度の上昇のために、その入口側８では平板状集熱部４を構成し、出口側９では、集熱部１の周囲に放物面反射鏡３ａを構成するようにしている。
【００２６】
また、平板状集熱部４と放物面反射鏡３ａの間には、太陽光許容角度と集光比を適当に調節が可能な複合放物面鏡３ｂを設け、集熱器６の入口側８から出口側９に向かって徐々に熱媒体７を加熱するようにしている。
【００２７】
熱媒体７は、代替フロン（ＨＦＣ：Ｈｙｄｒｏｇｅｎｅｒａｔｅｄ  Ｆｌｕｏｒｏ  Ｃａｒｂｏｎ）の１３４Ａや二酸化炭素（ＣＯ２）を使用するか、または熱媒体油（シリコーン油のような鉱物油）を使用している。
【００２８】
平板状集熱部４は図３のように、集熱部１の周囲に平板状の受熱板１１を装着して構成している。
【００２９】
受熱板１１は太陽光を受けやすいようにフィン形状にすることも可能で、集熱管２と同様の材質で構成され、集熱部１とはロウ付けや溶接やカシメで結合されている。受熱板１１の太陽光を受ける側には、集熱管２と同様に選択吸収膜形成している。
【００３０】
集熱管２は受熱板１１の太陽光を受ける側の裏面に蛇行するような配置で均一に熱が受けられるように構成している。
【００３１】
角度αは平板状集熱部４の太陽光許容角度を示し、略集熱器６の開口近くまで太陽が移動しても受熱板１１に入射するようにしている。また、平板状集熱部４は略すべての太陽光が直達で入射し、集光する作用は無いが、長時間太陽光を受光でき、１日の中で熱量を多量に回収するようにしている。
【００３２】
また、平板状集熱部４を集熱器６の入口側８の熱媒体７の温度が低いところで使用することで、集熱効率を７０〜８０％程度に高めるようにしている。
【００３３】
放物面反射鏡３ａの形状は、図４のように太陽光を焦点１２に集束させるために放物線で断面を形成され、その方物線を断面とする樋型に構成している。この樋型の放物面反射鏡を太陽の方位方向（東西方向）に伸ばして一つの放物面反射鏡１０を構成している。放物面反射鏡３ａは、東西方向に伸ばして構成した樋型の構成を太陽の高度方向に向けて南北方向に１個または複数個、並列に配置するようにしている。
【００３４】
放物面反射鏡３ａの反射面１３は、太陽光の反射率を向上させるために鏡面に仕上げている。反射面１３の鏡面仕上げは、放物面反射鏡３ａを構成する材料によりめっき、蒸着、研磨、塗装等の方法がある。
【００３５】
放物面反射鏡３ａの加工は、耐熱の樹脂（例えば、フェノール樹脂、フッ素樹脂、ポリイミド樹脂等）を成型、ステンレスをプレス加工、アルミダイカスト成型等の方法がある。またアルミの鏡面仕上げ板を折り曲げる方法もある。例えば、放物面反射鏡３ａを耐熱樹脂で成型した時は、鏡面をアルミめっき（蒸着）や塗装で仕上げるようにする。
【００３６】
特に、鏡面をアルミめっきする時は、ポリイミド樹脂やポリフェニレンサルファイド樹脂またはポリステル樹脂、ポリアミド樹脂等を使用する。また、ステンレスをプレス加工したときは、アルミ電解研磨やバフ研磨等で鏡面を形成することもある。
【００３７】
また、アルミダイカストの成型でもめっき等により鏡面仕上げを行い、アルミダイカスト材料の研磨後の酸化皮膜による反射率の低下を防止することもある。
【００３８】
放物面反射鏡３ａは、原理的に焦点１２に集光できる太陽光の入射方向は、１方向のみなので、原理上太陽光入射許容角度は、ゼロである。そこで、放物面反射鏡３ａは、春分（秋分）時の南中の太陽に正対するように設けられ、放物面反射鏡３ａの開口部１４の頂点から太陽光が入射して、放物線状の反射面１３により反射して焦点１２に集光するようにして、集熱管２内を流通する熱媒体７の温度を集熱器６の出口側９まで通過する間に加熱するようにしている。
【００３９】
放物面反射鏡３ａは、春分（秋分）時の南中の太陽に正対する位置を基準にすることで、夏至や冬至時の太陽高度の大きな変化の中で、年間を通して長い期間、日射を受けるようにしている。
【００４０】
原理上太陽光入射許容角度はゼロであるが、太陽光は、大気中の乱反射や地面または建物等の反射もあるので、放物面反射鏡３ａを太陽の方位方向に向けて東西方向に伸ばして構成した樋型にすれば、実際上は南中の前後±２時間程度、高温加熱という能力を発揮するようになる。
【００４１】
放物面反射鏡３ａでは、開口部１４の幅を大きくすることにより焦点１２に集光する太陽光の量を増加し、集熱部１の温度を高温に上昇するようにしている。
【００４２】
複合放物面鏡（ＣＰＣ：Ｃｏｍｐｏｕｎｄ  Ｐａｒａｂｏｌｉｃ  Ｃｏｎｃｅｎｔｒａｔｏｒ）３ｂでは、図５のように太陽光入射許容角度βが、例えば、天頂より±３０°程度なら約３倍の集光比が得られる。太陽光入射許容角度βをこれよりも拡大すると太陽光を受け易くなるが集光比は小さくなり、太陽光の集中する割合は減少するので集熱部１の加熱温度は低くなる。
【００４３】
また、太陽光入射許容角度βをこれよりも縮小すると太陽光を受け難くなるが集光比は大きくなり、太陽光の集中する割合は増加するので集熱部１の加熱温度は高くなる。複合放物面鏡３ｂは、放物面反射鏡３ａに比較して太陽の高度に対して１日の中で長時間、太陽光を反射鏡１内に入射することができる。
【００４４】
複合放物面鏡３ｂの反射面１５は原理的には放物線で構成され、それを傾かせて太陽光入射許容角度を形成し、その反射面１５を対称の位置に配置している。そこでは、太陽光入射許容角度の範囲内の太陽光は夫々の反射面１５に対する焦点１６ａ、１６ｂ間のどこかで移動しながら集光するようにしている。
【００４５】
複合放物面反射鏡３ｂは集熱器６に供給する熱媒体７の入口側８と出口側９の中間に位置するように構成し、太陽の動きにあわせて太陽光の入射を確保しながら、集熱部１に対して太陽光を集光して集熱器６の入口側８から出口側９に向かって徐々に熱媒体７の加熱温度を上昇するようにしている。
【００４６】
複合放物面鏡３ｂの材質や加工方法は、放物面反射鏡３ａと同様に行うようにしている。複合放物面鏡３ｂに対する集熱部１の構成は、集熱管２を複合放物面鏡１２の下部に挿入するか、集熱管２に受熱板１７を装着するようにして、移動する集光部１８を受けるようにしている。
【００４７】
外装５は、上部に透過体１９の開口を設けた箱状に構成している。外装５は腐食の少ないステンレスや耐候性のある樹脂材料（例えば、ポリエステル樹脂、ポリカーボネート樹脂等）で構成している。外装５の内部は、集熱部１の周囲を外装断熱材２０で覆うようにして、外装５の内壁に沿って充填している。外装断熱材２０は、耐熱性のロックウール、グラスウール等で構成している。外装断熱材２０の表面は、硬化させて、それだけで壁面を構成するかまたは板で内面を補強して構成するようにしている。
【００４８】
透過体１９は太陽光を取り込み、内部に雨やホコリが侵入するのを防止している。透過体１９は太陽光を通過させるために透過率の大きな透明ガラスを使用している（このような透明ガラスの日射透過率は、約９０％である）。
【００４９】
この透過体１９に向かって外装断熱材２０を傾斜させて、上方に広がるように構成して、太陽の高度に合わせて反射鏡で太陽光を多く受けられるようにしている。
【００５０】
２１は熱媒体７の循環ポンプ、２２は熱媒体７が流れる回路、２３は熱媒体７からの高温の熱を蓄える蓄熱槽である。
【００５１】
蓄熱槽２３は、融点の高い溶融塩の相変化を利用した潜熱型や溶融塩や油等を用いた顕熱型や蒸気を圧力水の形で蓄える蒸気アキュムレイタ等を用いることで１００℃以上の高温の熱を貯めるようにしている。
【００５２】
２４は集熱器６の各部の温度を検知しながら循環ポンプ２１の運転時間や熱媒体７の流量をコントロールする制御部である。
【００５３】
以上のように構成された集熱器について、以下その動作、作用を説明する。
【００５４】
まず、制御部２４に運転の支持があたえられるか、または集熱器６の温度上昇を検知した制御部２４により、循環ポンプ２１が作動し、熱媒体７を回路２２内に循環させ、集熱器６の集熱部１に送る。
【００５５】
集熱器６が太陽の南中方向に向けて設置してあれば、太陽の南中時に、集熱器６に垂直の太陽光が入射する。このとき、熱媒体７の温度がまだ低い集熱器６の入口側８では、平板状集熱部４により、太陽光入射許容角度を最大に拡大して受熱板１１により多くの熱量を獲得し、熱媒体７を加熱していく。
【００５６】
また、熱媒体７の温度が上昇した出口側９では、放物面反射鏡３ａにより集光比を大きくして太陽光を集光し集熱部１の温度を最高に上昇するようにしている。
【００５７】
平板状集熱部４と放物面反射鏡３ａの中間に設ける複合放物面鏡１５により、太陽光入射許容角度と集光比を変化させて集熱器６の入口側８から出口側９に向かって徐々に熱媒体７を加熱するようにしている。
【００５８】
集熱部１の熱を受け、熱媒体７は高温の液体または蒸気（または液体や蒸気と液体が混ざったもの等）を形成して蓄熱槽２３に送られる。蓄熱槽２３ではこの液体または蒸気を受けて１００℃以上の熱量を蓄積するようにしている。
【００５９】
熱媒体７の液体または蒸気は、蓄熱槽２３で凝縮して液体となり、循環ポンプ２１により再度、集熱器６に送られ、加熱されるようにしている。
【００６０】
この動作を太陽熱の供給が可能な間、繰り返すことにより、必要な熱量を蓄熱槽２３に維持するようにしている。
【００６１】
以上のように、本実施の形態においては、太陽光を受けて内部を流通する熱媒体７を加熱する複数個の集熱部１と、この集熱部１を焦点１１とするそれぞれの反射鏡３と、集熱部１の一部に反射鏡３の代わりに受熱板１３を設けて構成した平板状集熱部４を構成し、集熱部１に太陽光を取り込むための太陽光入射許容角度を変化させて複数の反射鏡３ａ，３ｂと平板状集熱部４を構成したので、１日の太陽の動きに合わせて集光時間を長くとり多量の熱を収集するようにして熱媒体７の熱回収を促進する部分と太陽光を集熱部１に集光し、集熱部１の温度を高温化する部分とで、高い集熱効率を維持しながら高温の熱媒体７を供給することができる。
【００６２】
また、本実施の形態においては、集熱器６に供給する熱媒体７の入口側８から出口側９に向かって太陽光を反射鏡内に取り込むための太陽光入射許容角度を縮小するように構成したので、集熱器６の入口側８で熱媒体７の温度がまだ低い時は、熱量を多く確保し集熱効率を高めるように作用し、集熱器６の出口側９で熱媒体７の温度を適当に上昇させた後に、高温に加熱するので、集熱器６の出口側９では、高い熱効率を維持しながら高温の熱媒体７を供給することができる。
【００６３】
また、本実施の形態においては、反射鏡３ａを略東西方向に焦点１２の軌跡を形成するように配置したので、１日における太陽の方位方向の動きに合わせて日射を取り込み、１日内に長い時間、集熱管２を加熱することができる。
【００６４】
また、本実施の形態においては、集熱部１は、夫々の反射鏡３ａ，３ｂ内に設ける集熱管２を熱媒体７の入口側８の集熱管２から出口側９の集熱管２に向かって、順次連通させ一体化したので、太陽光を連続して集光でき、熱媒体７の温度低下を起こすことなく、太陽熱を回収し、熱媒体７への太陽熱の授受を効率良く促進することができる。
【００６５】
また、本実施の形態においては、集熱器６に供給する熱媒体７の出口側９の反射鏡は、放物面反射鏡３ａで構成したことにより、太陽光が最も集熱部１に集光できるので、集熱器６の出口側９で、熱媒体７の温度を最高に加熱し高温を維持することができる。
【００６６】
また、本実施の形態においては、集熱器６に供給する熱媒体７の入口側８の集熱部１は平板状集熱部４で構成したことにより、集熱器６の入口側８で熱媒体７の温度がまだ低い時は、１日の太陽の動きに合わせて集光時間を長くとり多量の熱を収集するようにするので、熱量を多く確保し熱効率を高めることができる。
【００６７】
また、本実施の形態においては、熱媒体７の入口側８と出口側９の中間位置する反射鏡は、複合放物面反射鏡３ｂで構成したことにより、太陽の動きにあわせて太陽光の入射を確保しながら、集熱部１に対して反射鏡３ｂにより太陽光を集光できるので、集熱器６の入口側８から出口側９に向かって徐々に熱媒体７の加熱温度を調節することができ、集熱部１の極端な温度上昇変化による放熱損失を防止して効率よく太陽熱を回収することができる。
【００６８】
また、本実施の形態においては、集熱管２や受熱板１１は、表面に赤外線を吸収する選択吸収膜を形成したことにより、集熱管２や受熱板１１からの赤外線放射を防止して集熱管５の温度を高温に維持して、熱媒体７にその熱を効率良く伝えることができる。
【００６９】
また、本実施の形態においては、外装５の反射鏡３ａ，３ｂの開口部側に透過体１９を装着したことにより、外装５内に雨水やホコリが堆積しないので、長期間にわたって集熱効率を良好に維持することができる。また、透過体１９を反射鏡の上に載置したので、反射鏡内に熱をこもらせ、集熱管２や受熱板１１からの対流による放熱を防止して、集熱管２の温度を高温に維持して、熱媒体７にその熱を効率良く伝えることができる。
【００７０】
また、本実施の形態の透過体１９は、選択透過性能を有する耐熱性、耐候性の優れた樹脂材料（例えば、ポリカーボネート等）で構成することにより、集熱器６の軽量化と低コスト化を行うことができる。
【００７１】
また、本実施の形態の蓄熱槽２３に熱を蓄えるので、その熱は、夜間に利用したり、あるいは曇りの時に十分な熱が得られない時に補充する形で太陽光の不安定な熱の供給を安定化し、使い勝手を向上することができる。
【００７２】
また、常時、蓄熱槽２３に熱を蓄えることができるので、エネルギー密度の少ない太陽熱を効率良く回収することができる。
【００７３】
また、本実施の形態においては、反射鏡の太陽光入射許容角度を変化させることにより、集光比を容易に調節できるので、熱媒体７の加熱温度を高い集熱効率を維持しながらコントロールすることができる。
【００７４】
なお、放物面反射鏡３ａの形状は、太陽光を焦点１２に集束させるために放物線で断面を形成されているが、基本的に焦点１２に集光する太陽光は放物面反射鏡３ａに対して一方向の太陽光のみであり、常に太陽光に向かって放物面反射鏡３ａを移動させる必要がある（実際の太陽光は、雲や空気中の塵や建物等で乱反射しているので色々な角度から入射している場合が多い）。
【００７５】
このため、制御部２４は、太陽の年間の動きをベースに季節や１日の太陽高度に合わせて、放物面反射鏡３ａを回転させて、その日のその時間の太陽の日射が最大になる高度に合わせるように支持することも可能である。
【００７６】
それにより放物面反射鏡３ａに反射した太陽光が常に焦点１２上の集熱部１に集中し、集熱部１の温度を高温に上昇させることができ、熱媒体７に高温の熱を年間の長い期間、
１日の多くの時間帯を使って伝えることができる。
【産業上の利用可能性】
【００７７】
以上のように、本発明にかかる集熱器６は、太陽光入射許容角度の異なる反射鏡３や平板状集熱部４を用いて、熱媒体７の温度を高い集熱効率を維持しながら高温に保つことができるので、住宅の給湯や発電のための加熱装置に適用することができる。
【図面の簡単な説明】
【００７８】
【図１】本発明の実施の形態１における集熱器の平面の断面図
【図２】本発明の実施の形態１における集熱器の側面の断面図
【図３】本発明の実施の形態１における平板状集熱部の要部断面図
【図４】本発明の実施の形態１における放物面反射鏡の要部断面図
【図５】本発明の実施の形態１における複合放物面反射鏡の要部断面図
【符号の説明】
【００７９】
１  集熱部
２  焦熱管
３ａ  放物面反射鏡
３ｂ  複合放物面反射鏡
４  平板状集熱部
５  外装
７  熱媒体
１１  受熱板
１９  透過体
【図１】
2008215740.tif 000003
【図２】
2008215740.tif 000004
【図３】
2008215740.tif 000005
【図４】
2008215740.tif 000006
【図５】
2008215740.tif 000007